(57)【要約】      （修正有）【課題】撮影機能やナビ機能を有する携帯電話等の撮影器機を固定する固定具であって、特に、さまざまな部材に容易に、且つ角度自在に装着することができる撮影器機固定具を提供する。【解決手段】撮影器機固定具１は、本体部２と、本体部上部に回動自在に連結された、撮影器機を挟持保持する保持部１０と、本体部下部に回動自在に連結された、固定部材を嵌入保持する嵌入部２０と、嵌入部に連接された、固定部材を挟持する挟持部３０と、を備えることを特徴とする。また保持部は、撮影器機を左右方向に挟持する挟持片１１と、撮影器機の底面を係止する載置台１２とからなり、嵌入部は、ペットボトルのキャップ部分を嵌入保持する円筒形に形成されており、挟持部は、固定部材を両側面より挟持する挟持具３１と、挟持具の挟持力を調節する操作部を備える。【選択図】図１
0003185369.tif 000002
【実用新案登録請求の範囲】
【請求項１】
本体部と、本体部上部に回動自在に連結された、撮影器機を挟持保持する保持部と、本体部下部に回動自在に連結された、固定部材を嵌入保持する嵌入部と、嵌入部に連接された、固定部材を挟持する挟持部と、を備えることを特徴とする撮影器機固定具。
【請求項２】
前記保持部は、撮影器機を左右方向に挟持する挟持片と、撮影器機の底面を係止する載置台とからなる請求項１記載の撮影器機固定具。
【請求項３】
前記嵌入部は、ペットボトルのキャップ部分を嵌入保持する円筒形に形成されている請求項１記載の撮影器機固定具。
【請求項４】
前記挟持部は、固定部材を両側面より挟持する挟持具と、挟持具の挟持力を調節する操作部とを備える請求項１記載の撮影器機固定具。
【請求項５】
前記本体部に、保持部の回動力を調整する操作部を備える請求項１記載の撮影器機固定具。
【考案の詳細な説明】
【技術分野】
【０００１】  本考案は、撮影機能やナビ機能を有する携帯電話等の撮影器機を固定する固定具であって、特に、さまざまな部材に容易に、且つ角度自在に装着することができる撮影器機固定具に関する。
【背景技術】
【０００２】  アナログカメラ、デジタルカメラ、ムービーカメラ等の撮影器機等は、カメラスタンドに取り付けて被写体を撮影する。一般的なカメラスタンドは、折り畳み式の三脚が具備されており、携帯や収納に優れた軽量な構造にて形成されている。【０００３】  また、高所からの撮影作業を、正確に、かつ、安全に、しかも、円滑に行うことを可能にしたカメラスタンド装置がある（例えば特許文献１参照）。
上掲特許文献１のカメラスタンド装置は、支持台と、この支持台によって立設した長尺状の支柱とを備え、この支柱の上端側にカメラを取り付けてなるカメラスタンド装置において、前記支時台に対して、前記支柱を、左右方向及び前方向に傾斜可能に、しかも、周方向に回転可能に立設したことを特徴とする。
【先行技術文献】
【特許文献】
【０００４】
【特許文献１】特開２００７−１０２０６３号公報
【考案の概要】
【考案が解決しようとする課題】  しかしながら、特許文献１のカメラスタンド装置は、大掛かりな構造で製造面がコスト高に繋がるとともに、全体が大形状に形成されているため、携帯や収納面でも多くの問題が生じた。また床面に立て掛けて使用するため、使用範囲も限定されるという欠点もあった。【０００５】  そこで本考案は上記の点に鑑み、撮影機能やナビ機能を有する携帯電話等の撮影器機を固定する固定具であって、特に、さまざまな部材に容易に、且つ角度自在に装着することができる撮影器機固定具を提供することにある。
【解決を解決するための手段】
【０００６】  上記課題を解決するために本考案の撮影器機固定具は、本体部と、本体部上部に回動自在に連結された、撮影器機を挟持保持する保持部と、本体部下部に回動自在に連結された、固定部材を嵌入保持する嵌入部と、嵌入部に連接された、固定部材を挟持する挟持部と、を備えることを特徴とする。
【０００７】  また前記保持部は、撮影器機を左右方向に挟持する挟持片と、撮影器機の底面を係止する載置台とからなる。
【０００８】  また前記嵌入部は、ペットボトルのキャップ部分を嵌入保持する円筒形に形成されている。
【０００９】  また前記挟持部は、固定部材を両側面より挟持する挟持具と、挟持具の挟持力を調節する操作部を備える。
【００１０】  さらに前記本体部に、保持部の回動力を調整する操作部を備える。
【考案の効果】
【００１１】  本考案の撮影器機固定具は、本体部と、本体部上部に回動自在に連結された、撮影器機を挟持保持する保持部と、本体部下部に回動自在に連結された、固定部材を嵌入保持する嵌入部と、嵌入部に連接された、固定部材を挟持する挟持部と、を備えることで、さまざまな部材に容易に、且つ角度自在に装着することができる。また製造コストを削減できるとともに、収納や携帯においても優れた効果を発揮する。
【図面の簡単な説明】
【００１２】
【図１】本考案の撮影器機固定具の全体斜視図である。
【図２】撮影器機固定具の側面図である。
【図３】撮影器機固定具の正面図である。
【図４】撮影器機固定具を床上に載置した使用図である。
【図５】撮影器機固定具をペットボトルに装着した使用図である。
【図６】撮影器機固定具を固定部材に装着した使用図である。
【考案を実施するための形態】
【００１３】  本考案の撮影器機固定具は、撮影機能やナビ機能を有する携帯電話等の撮影器機を固定する固定具であって、特に、さまざまな部材に容易に、且つ角度自在に装着することができることを特徴とするものである。
以下、本考案の撮影器機固定具の形態を図面に基づいて説明する。
【００１４】  図示する撮影器機固定具１は、本体部２と、本体部２の上部に回動自在に連結された、撮影器機Ａを挟持保持する保持部１０と、本体部２の下部に回動自在に連結された、被固定部材ａを嵌入保持する嵌入部２０と、嵌入部２０に連接された、被固定部材ｂを挟持する挟持部３０とを備える。
【００１５】  本体部２はプラスチック等の合成樹脂で形成されており、上部に開口部３を有する円筒形状を呈している。また前記開口部３内には、保持部１０を前後左右および回転方向に傾斜回動させることができる球体４が収容されている。
【００１６】  また前記本体部１には、保持部１０の回動力を調整する操作部５が具備されている。前記操作部５を操作することにより、図２及び図３に示すように、保持部１０を前後方向、左右方向、および回転方向に傾斜回動させるとともに、任意の状態に固定することができる。
【００１７】  保持部１０は、アナログカメラ、デジタルカメラ、ムービーカメラ等の撮影器機、特に、撮影機能とナビ機能を有する携帯電話等の撮影器機Ａを挟持保持するもので、撮影器機Ａを左右方向に挟持する一対の挟持片１１と、撮影器機Ａの底面を係止する、弾性部材１８を備えた載置台１２とからなる。
【００１８】  挟持片１１は、湾曲状の摘部１３と、挟持片１１の先方に形成された把持部１４と、把持部１４の内面に装着された緩衝性を有する弾性部材１５とからなる。また一対の挟持片１１は、軸体１７に装着されたバネ１６を介して挟持可能に設置されている。また前記軸体１７の下端は、前記本体部２の開口部３内の球体４に連結されており、球体４上部には、載置台１２が回動自在に設置されている。
【００１９】  嵌入部２０は被固定部材ａを嵌入保持するもので、本体部２の底部に回動自在に連接されている。また前記嵌入部２０は底部に開口部２１を有する円筒状を呈しており、特に、市販のペットボトルのキャップ部分に嵌着される。そのことにより、図５に示すように、被固定部材ａであるペットボトルの上部に装着することができ、使用範囲を広げるとともに、利便性を高めることもできる。
【００２０】  挟持部３０は、前記嵌入部２０に連接された状態に形成されており、一対の挟持具３１と、挟持具３１の内面に設置された弾性部材３２とからなる。また挟持具３１には、被固定部材ｂを挟持する固定するための操作部３３が具備されている。
【００２１】  次に、本考案の撮影器機固定具の使用方法を図４乃至図６に基づいて説明する。
図４においては、嵌入部２０及び挟持部３０を台上に載置させた状態での使用例を示す。この状態で、撮影機能とナビ機能を有する携帯電話等の撮影器機Ａを、保持部１０の保持片１１と載置台１２とで保持する。
【００２２】  この際、保持部１０は本体部２に対して球体４を介して前後方向、左右方向、および回転方向に傾斜回動させることができるため、撮影する角度を任意に設定することができる。なお、保持部１０にて保持された撮影器機Ａは、弾性部材１５，１８にて係止されているため、表面に傷が付くことがない。
【００２３】  図４においては、嵌入部２０内に被固定部材ａであるペットボトルのキャップ部分に嵌入した状態を示す。ペットボトルはスポーツや旅行、またレクリエーション等に頻繁に携帯される。そのため、撮影器機固定具１に嵌入部２０を具備することにより、撮影器機Ａを広範囲に、且つ好適な高さで維持させることができ、より利便性を高めることができる。
【００２４】  図６は、例えばゴルフバッグの開口周縁部である被固定部材ｂに本考案の撮影器機固定具１を装着した状態を示す。挟持部３０にて被固定部材ｂを挟持し、操作部３３を操作し固定する。この際、保持部１０を回動させて略水平状態に維持させた状態で撮影器機Ａを保持する。そのことにより、例えば、ゴルフのスイング状態を容易に撮影することができ、スイング矯正に優れた効果を発揮する。
【００２５】  また前記挟持部３０を具備したことにより、自転車やバイク等の一部（ハンドルやカゴ等）に装着した際、本考案の撮影器機固定具１をナビとしても利用することができる。
【００２６】  上述のように、本考案の撮影器機固定具１は、本体部２と、本体部２上部に回動自在に連結された、撮影器機Ａを挟持保持する保持部１０と、本体部２下部に回動自在に連結された、被固定部材（ペットボトル）ａを嵌入保持する嵌入部２０と、嵌入部２０に連接された、被固定部材（ゴルフバッグ）ｂを挟持する挟持部３０と、を備えることで、さまざまな部材に容易に、且つ角度自在に装着することができる。また製造コストを削減できるとともに、収納や携帯においても優れた効果を発揮する。
【符号の説明】
【００２７】１    撮影器機固定具
２    本体部
３    開口部
４    球体
５    操作部
１０  保持部
１１  挟持片
１２  載置台
１３  摘部
１４  把持部
１５  弾性部材
１６  バネ
１７  軸体
１８  弾性部材
２０  嵌入部
２１  開口部
３０  把持部
３１  把持具
３２  弾性部材
３３  操作部
Ａ    撮影器機
ａ    被固定部材
ｂ    被固定部材
【図１】
0003185369.tif 000003
【図２】
0003185369.tif 000004
【図３】
0003185369.tif 000005
【図４】
0003185369.tif 000006
【図５】
0003185369.tif 000007
【図６】
0003185369.tif 000008